(57)【要約】高温流体が流通する流路を設けるガスケットが劣化しないようにしたプレート式熱交換器を提供する。このプレート式熱交換器は、各隅部に通路孔２１，２２，２３，２４を形成した伝熱プレート２０，２０，…が複数枚積層され、各伝熱プレート２０，２０間の外周部に流路形成用ガスケット３１が介装され、隣り合っている伝熱プレート２０，２０の通路孔２１，２１を交互に囲む連通路形成用ガスケット３２が介装されることにより、伝熱プレート２０を境にして高温流体Ｈを流通させる第１流路１と、低温流体Ｃを流通させる第２流体と、通路孔から第１流路１と第２流路２とにそれぞれ高温流体Ｈと低温流体Ｃを流入出させる連通路３とが交互に形成されている。前記流路形成用ガスケット３１が内側ガスケット部材３１ａと外側ガスケット部材３１ｂの二重に並列されている。
2013039127.tif 000002
【特許請求の範囲】
【請求項１】
各隅部に通路孔を形成した伝熱プレートが複数枚積層され、各伝熱プレート間の外周部に流路形成用ガスケットが介装され、隣り合っている伝熱プレートの通路孔を交互に囲む連通路形成用ガスケットが介装されることにより、伝熱プレートを境にして高温流体を流通させる第１流路と、低温流体を流通させる第２流体と、通路孔から第１流路と第２流路とにそれぞれ高温流体と低温流体を流入出させる連通路とが交互に形成されているプレート式熱交換器において、
前記流路形成用ガスケットが内側ガスケット部材と外側ガスケット部材の二重に並列されていることを特徴とするプレート式熱交換器。
【請求項２】
前記流路形成用ガスケットは、前記第１流路を形成する伝熱プレート間にのみ内側ガスケット部材と外側ガスケット部材の二重に並列されていることを特徴とする請求項１に記載のプレート式熱交換器。
【請求項３】
各隅部に通路孔を形成した２枚の伝熱プレートの外周部を永久接続したカセットプレートが複数枚積層され、各カセットプレート間の外周部に流路形成用ガスケットが介装され、隣り合っているカセットプレートの通路孔を交互に囲む連通路形成用ガスケットが介装されることにより、カセットプレート内とカセットプレート間とに高温流体を流通させる第１流路又は低温流体を流通させる第２流体が交互に形成されているプレート式熱交換器において、
前記流路形成用ガスケットが内側ガスケット部材と外側ガスケット部材の二重に並列されていることを特徴とするプレート式熱交換器。
【請求項４】
前記伝熱プレートには、前記流路形成用ガスケットの内側ガスケット部材と外側ガスケット部材との間に排液孔が形成されていることを特徴とする請求項１ないし３のいずれか一項に記載のプレート式熱交換器。
【請求項５】
前記伝熱プレートには、前記流路形成用ガスケット間の内側ガスケット部材と外側ガスケット部材との間に給気孔が形成され、内側ガスケット部材と外側ガスケット部材と伝熱プレートとによって囲まれた密閉空間内に不活性ガスが充填されていることを特徴とする請求項１ないし４のいずれか一項に記載のプレート式熱交換器。
【請求項６】
前記流路形成用ガスケットは、前記高温流体が前記第１流路内に流入する上流側にのみ内側ガスケット部材と外側ガスケット部材の二重に並列されていることを特徴とする請求項１ないし５のいずれか一項に記載のプレート式熱交換器。
【発明の詳細な説明】
【関連出願の相互参照】
【０００１】
本願は、日本国特願２０１１−２００８６１号の優先権を主張し、引用によって本願明細書の記載に組み込まれる。
【技術分野】
【０００２】
本発明は、高温流体と低温流体とを熱交換させるプレート式熱交換器に関し、詳しくは、複数枚の伝熱プレートを積層し、各伝熱プレート間の外周部などにガスケットを介装することにより、各伝熱プレート間に高温流体を流通させる流路と低温流体を流通させる流路とを交互に形成したプレート式熱交換器に関する。
【背景技術】
【０００３】
プレート式熱交換器は、図７に示すように、鉛直姿勢の長方形板状の固定フレーム１１と鉛直姿勢の長方形板状の移動フレーム１２との間に複数枚の長方形状の伝熱プレート２０，２０，…を鉛直姿勢で積層し、図８に示すように、この伝熱プレート２０と伝熱プレート２０との間に第１流路１と第２流路２とを交互に形成し、第１流路１に高温流体Ｈを流通させ、第２流路２に低温流体Ｃを流通させることで、高温流体Ｈと低温流体Ｃとを熱交換する。【０００４】
そして、固定フレーム１１の四隅には、流体Ｈ，Ｃの出入口となる通路孔１１ａ〜１１ｄが設けられ、移動フレーム１２には通路孔が設けられていない。【０００５】
また、伝熱プレート２０には、四隅に流体Ｈ，Ｃの出入口となる通路孔２１〜２４が設けられ、中間部に伝熱部（採番せず）が設けられ、各伝熱プレート２０，２０間にガスケット１３０を介装することで、例えば左側上，下の通路孔２１，２２と伝熱部とが連通し、かつ、右側上，下の通路孔２３，２４が伝熱部に開口しないように、あるいは、その逆になるようにされている。【０００６】
ガスケット１３０は、各伝熱プレート２０の外周部（外周縁に沿った内側）を囲む流路形成用ガスケット１３１と通路孔２１〜２４の周囲を囲む連通路形成用ガスケット１３２とを別体又は図示しない一体に形成したものとされている。【０００７】
そして、プレート式熱交換器は、右側上下の連通路形成用ガスケット１３２，１３２が右側上下の通路孔２３，２４を囲むことで、左側上下の通路孔２１，２２及び第１流路１から遮断された連通路３，３を設け、流路形成ガスケット１３１が左側上下の通路孔２１，２２と伝熱部とを囲むことで高温流体Ｈが流通する第１流路１を設けている。【０００８】
また、プレート式熱交換器は、左側上下の連通路形成用ガスケット１３２，１３２が左側上下の通路孔２１，２２を囲むことで、右側上下の通路孔２３，２４及び第２流路２から遮断された連通路３，３を設け、流路形成用ガスケット１３１が右側上下の連通路形成用ガスケット１３２，１３２と伝熱部とを囲むことで低温流体Ｃが流通する第２の流路２を設けている。【０００９】
したがって、図８において、高温流体Ｈが左上の通路孔２１から第１流路１内を下向きに流通して左下の通路孔２２から排出され、低温流体Ｃが右下の通路孔２４から第２流路２内を上向きに流れて右上の通路孔２３から排出されることで、両流体Ｈ，Ｃが熱交換される。【００１０】
また、図示しないが、２枚の伝熱プレートの外周部などをレーザ溶接やロウ付けなどで永久接合したカセットプレートを鉛直姿勢で複数枚積層し、カセットプレートの外周部にガスケットを介装することで、カセットプレート内に第１流路又は第２流路を形成し、カセットプレートとカセットプレートとの間に第２流路又は第１流路を形成した接合型プレート式熱交換器が特許文献１などに記載されている。【００１１】
なお、流路形成用ガスケットと連通路形成用ガスケットとを一体化したガスケットを伝熱プレート間に介装したプレート式熱交換器において、伝熱部と通路孔との境界部分に流路形成用ガスケットの一部分と連通路形成用ガスケットの一部分とを並列させて介装した二重（２本）ガスケットを有するプレート式熱交換器が特許文献２に記載されている。このプレート式熱交換器は、二重ガスケットが接着剤を使用しないで伝熱プレートに固着され、他の部分のガスケットが接着剤を使用して伝熱プレートに接着されることを特徴としている。【００１２】
そして、二重ガスケットは、積層される伝熱プレート間に１枚おき（交互）に介装されることで、二重ガスケットがなく伝熱部と通路孔とを連通させる流路が形成されている。この二重ガスケットが介装されていない部分の伝熱プレートは、内圧によって変形しやすくなっているが、二重ガスケットが接着剤によって伝熱プレートに接着されていないことにより、プレート式熱交換器の耐圧性を向上させている。
【先行技術文献】
【特許文献】
【００１３】
【特許文献１】日本国特開２００５−１０６４１２号公報
【特許文献２】日本国特開平９−７２６８６号公報
【発明の概要】
【発明が解決しようとする課題】
【００１４】
プレート式熱交換器において、第１流路１を形成する流路形成用ガスケット１３１は、図９に示すように、第１流路１内を高温流体Ｈが流れることにより、熱負荷環境下にあることから、長期間の使用により、流路形成用ガスケット１３１の軟化あるいは硬化が酸化劣化により進行する。【００１５】
また、この流路形成用ガスケット１３１は、ゴムによって成形され、主成分が高分子（ＲＨ）であることから、高温流体Ｈに加熱されることで酸素（Ｏ２）と反応し、アルキルラジカル（Ｒ・）が生成される。そして、流路形成用ガスケット１３１の外側（非接液側）が大気に触れることから、アルキルラジカル（Ｒ・）が酸素と反応することで、ペルオキシラジカル（ＲＯＯ・）が生成される。このペルオキシラジカル（ＲＯＯ・）は、高分子（ＲＨ）と反応することで、過酸化物（ＲＯＯＨ）が生成される。この過酸化物（ＲＯＯＨ）は、不安定であり、アルコキシラジカル（ＲＯ・）とヒドロキシルラジカル（ＯＨ・）とに容易に分解する。【００１６】
要するに、第１流路１を形成している流路形成用ガスケット１３１は、高温流体Ｈが流れ、熱負荷環境下にある中で、非接液側が大気に触れていることから、酸化反応によって主成分である高分子が崩壊し、ラジカル数が増加し、分子鎖の切断や架橋反応が進行することにより、ゴム本来の弾性を失うとともに、構造上、圧縮環境下にあることから、圧縮永久歪みの進行による面圧不足や、罅（ひび）割れの進展による破断により、第１流路１内の高温流体Ｈを外部に漏洩させることがある。【００１７】
また、特許文献２に記載されたプレート式熱交換器において、二重ガスケットが内部に介装されているものの、伝熱プレートの外周縁に沿った流路形成用ガスケットは、二重にされていないため、酸化劣化反応が生じ、高温流体Ｈが外部に漏洩することがある。【００１８】
そして、高温流体Ｈが危険な薬液である場合には、プレート式熱交換器から漏洩した高温流体Ｈが外部に流出すると、二次災害を起こすことがある。二次災害が起きないようにするため、ガスケットを早めに交換すると、ランニングコストがアップする。また、プレート式熱交換器全体を気密性の高いシートなどで覆ったり、積層された伝熱プレート間の外周縁部の隙間にゴムなどを挿し込んだりすることにより、酸化劣化を抑制し、高温流体Ｈが外部に流出しないようにする方法も考えられるが、このような方法は、コスト面や品質面に問題があることから採用されていない。【００１９】
そこで、本発明は、高温流体が流通する流路を設けるガスケットが劣化しないようにしたプレート式熱交換器を提供することを課題とする。
【課題を解決するための手段】
【００２０】
本発明に係るプレート式熱交換器は、各隅部に通路孔を形成した伝熱プレートが複数枚積層され、各伝熱プレート間の外周部に流路形成用ガスケットが介装され、隣り合っている伝熱プレートの通路孔を交互に囲む連通路形成用ガスケットが介装されることにより、伝熱プレートを境にして高温流体を流通させる第１流路と低温流体を流通させる第２流体と流体を第１流路と第２流路とに流入出させる連通路とが交互に形成されているプレート式熱交換器において、前記流路形成用ガスケットが内側ガスケット部材と外側ガスケット部材の二重に並列されていることを特徴としている。【００２１】
このプレート式熱交換器によれば、流路形成用ガスケットが内側ガスケット部材と外側ガスケット部材の二重に並列されていることにより、シール性能を担う内側ガスケット部材は、高温流体に触れるものの大気に触れず、したがって、酸化劣化反応による分子鎖の切断、架橋反応が進行せず、圧縮永久歪みの進行や罅割れの発生が抑えられ、第１流路内の高温流体を外部に漏洩させにくいようにすることができる。【００２２】
また、前記各本発明に係るプレート式熱交換器において、前記流路形成用ガスケットは、前記第１流路を形成する伝熱プレート間にのみ内側ガスケット部材と外側ガスケット部材の二重に並列されていてもよい。【００２３】
このプレート式熱交換器は、高温流体が流通する第１流路を設ける流路形成用ガスケットが酸化劣化反応によってガスケット劣化が進行しやすいことに鑑み、第１流路を形成する伝熱プレート間にのみ内側ガスケット部材と外側ガスケット部材の二重に並列され、低温流体が流通する第２流路を設ける流路形成用ガスケットは一重に介装される。【００２４】
また、前記と異なる本発明に係るプレート式熱交換器は、各隅部に通路孔を形成した２枚の伝熱プレートの外周部を永久接続したカセットプレートが複数枚積層され、各カセットプレート間の外周部に流路形成用ガスケットが介装され、隣り合っているカセットプレートの通路孔を交互に囲む連通路形成用ガスケットが介装されることにより、カセットプレート内とカセットプレート間とに高温流体を流通させる第１流路又は低温流体を流通させる第２流体が交互に形成されているプレート式熱交換器において、前記流路形成用ガスケットが内側ガスケット部材と外側ガスケット部材の二重に並列されていることを特徴としている。【００２５】
このプレート式熱交換器によれば、カセットプレートとカセットプレートとの間に介装される流路形成用ガスケットが内側ガスケット部材と外側ガスケット部材の二重に並列されていることにより、カセットプレートとカセットプレートとの間に高温流体が流通する第１流路が設けられる場合において、流路形成用ガスケットが酸化劣化反応しにくく、ガスケット劣化の進行を抑え、第１流路から高温流体が漏洩しないようにすることができる。なお、一般的には、カセットプレート内に高温流体を流通させるが、カセットプレート内に薬品などを流通させ、カセットプレートとカセットプレートとの間に高温流体を流通させる場合もある。【００２６】
また、前記本発明に係るプレート式熱交換器において、前記伝熱プレートには、前記流路形成用ガスケットの内側ガスケット部材と外側ガスケット部材との間に排液孔が形成されていることが好ましい。【００２７】
このプレート式熱交換器によれば、内側ガスケット部材と外側ガスケット部材との間の伝熱プレートに排液孔が形成されていることにより、内側ガスケットにより形成される第１流路から漏洩した高温流体が排液孔を経由して排出するようにすることができる。【００２８】
また、前記本発明に係るプレート式熱交換器において、前記伝熱プレートには、前記流路形成用ガスケット間の内側ガスケット部材と外側ガスケット部材との間に給気孔が形成され、内側ガスケット部材と外側ガスケット部材と伝熱プレートとによって囲まれた密閉空間内に不活性ガスが充填されていることが好ましい。【００２９】
このプレート式熱交換器によれば、内側ガスケット部材と外側ガスケット部材と伝熱プレートとによって囲まれた密閉空間内に不活性ガスが充填されていることにより、この密閉空間内に存在する空気中の酸素をなくすことで、内側ガスケット部材の酸化劣化反応を極力抑えることができる。【００３０】
また、前記各本発明に係るプレート式熱交換器において、前記流路形成用ガスケットは、前記高温流体が前記第１流路内に流入する上流側にのみ内側ガスケット部材と外側ガスケット部材の二重に並列されていてもよい。【００３１】
このプレート式熱交換器は、第１流路の下流側を流通している高温流体が降温し、上流側を流通している高温流体が高温であることに鑑み、第１流路内に流入する上流側にのみ内側ガスケット部材と外側ガスケット部材の二重に並列され、熱交換されて降温した高温流体が流通する下流側が一重のガスケットによって設けられている。
【発明の効果】
【００３２】
本発明によれば、流路形成用ガスケットが内側ガスケット部材と外側ガスケット部材の二重に並列されたプレート式熱交換器が提供されることにより、流路形成用ガスケットにおける酸化劣化反応による分子鎖の切断、架橋反応の進行による圧縮永久歪みの進行及び罅割れの発生を抑え、第１流路内の高温流体が漏洩しにくいようにすることができる。
【図面の簡単な説明】
【００３３】
【図１】本発明に係るプレート式熱交換器の第１の実施形態を示す概略分解斜視図である。
【図２】本発明に係るプレート式熱交換器の第１の実施形態の要部を示す概略分解斜視図である。
【図３】本発明に係るプレート式熱交換器の第３の実施形態を示す概略解斜視図である。
【図４】本発明に係るプレート式熱交換器の第３の実施形態を示す要部拡大断面図である。
【図５】本発明に係るプレート式熱交換器の第４の実施形態を示す分解斜視図である。
【図６】本発明に係るプレート式熱交換器の第５の実施形態を示す要部拡大断面図である。
【図７】従来のプレート式熱交換器を示す概略斜視図である。
【図８】従来のプレート式熱交換器を示す概略分解斜視図である。
【図９】従来のプレート式熱交換器の要部を示す要部拡大断面図である。
【発明を実施するための形態】
【００３４】
本発明に係るプレート式熱交換器の第１の実施形態について図１及び図２を参照しながら説明する。ただし、従来と同一部分は、同一符号を付して、詳しい説明を省略する。なお、以下の説明において記述する上下左右などの位置は各実施形態の一例であって、実際の使用態様において、異なる位置となる場合があることはいうまでもない。
【００３５】
第１の実施形態のプレート式熱交換器は、図１及び図２に示すように、従来と同様、伝熱プレート２０と伝熱プレート２０との間に第１流路１と第２流路２とを交互に形成し、第１流路１に高温流体Ｈを流通させ、第２流路２に低温流体Ｃを流通させる装置であり、伝熱プレート２０と伝熱プレート２０との間に介装されるガスケット３０によって第１流路１及び第２流路２が設けられる。
【００３６】
ガスケット３０は、伝熱プレート２０の外周部を囲む流路形成用ガスケット３１と、通路孔２１〜２４の周囲を囲む連通路形成用ガスケット３２とを一体又は図示しない別体に形成される。流路形成用ガスケット３１と連通路形成用ガスケット３２とを一体に形成したガスケット３０は、伝熱部と通路孔２１〜２４との境界部分が共用される。
【００３７】
そして、第１の実施形態におけるプレート式熱交換器では、図２に示すように、流路形成用ガスケット３１が内側ガスケット部材３１ａと外側ガスケット部材３１ｂの二重に並列され、また、連通路形成用ガスケット３２も内側ガスケット部材３２ａと外側ガスケット部材３２ｂの二重に並列されている。以下、内側ガスケット部材３１ａ，３２ａと外側ガスケット部材３１ｂ，３２ｂを二重に並列した流路形成用ガスケット３１及び連通路形成用ガスケット３２をダブルラインガスケット３０という。
【００３８】
なお、伝熱プレート２０には、流路形成用ガスケット３１及び連通路形成用ガスケット３２の内側ガスケット部材３１ａ，３２ａと外側ガスケット部材３１ｂ，３２ｂに対応して二重に溝が形成されている。
【００３９】
このような流路形成用ガスケット３１が伝熱プレート２０と伝熱プレート２０との間に介装されることで、内側ガスケット部材３１ａが左側上下の通路孔２１，２２と伝熱部とを囲んで第１流路１を設け、右側上下の連通路形成用ガスケット３２が右側上下の通路孔２３，２４を囲んで第１流路１から遮断した連通路３を設けている。
【００４０】
そして、流路形成用ガスケット３１が右側上下の通路孔２３，２４と伝熱部とを囲んで第２流路２を設け、連通路形成用ガスケット３２が左側上下の通路孔２１，２２を囲むことで、第２流路２から遮断した連通路３を設けている。なお、流路形成用ガスケット３１の外側ガスケット部材３１ｂと連通路形成用ガスケット３２の外側ガスケット部材３２ｂとは共用される。
【００４１】
このようにして、流路形成用ガスケット３１と連通路形成用ガスケット３２とを一体に形成したガスケット３０が隣り合っている伝熱プレート２０，２０間に交互に介装されることにより、高温流体Ｈが左側上の通路孔２１から第１流路１内を流通し、左側下の通路孔２２から排出される一方、低温流体Ｃが右側下の通路孔２４から第２流路２内を流通し、右側上の通路孔２３から排出され、高温流体Ｈと低温流体Ｃとが熱交換される。
【００４２】
このとき、第１流路１内を流通している高温流体Ｈは、流路形成用ガスケット３１の内側ガスケット部材３１ａと触れるが、この内側ガスケット部材３１ａは、外側が外側ガスケット部材３１ｂに囲まれていることから、大気に触れず、したがって、酸化劣化反応しにくくされている。
【００４３】
また、連通路形成用ガスケット３２も内側ガスケット部材３２ａと外側ガスケット部材３２ｂの二重に並列されているため、連通孔２１を囲んで連通路３を形成した連通路形成用ガスケット３２の内側ガスケット部材３２ａも、高温流体Ｈに触れても、外側ガスケット部材３２ｂに囲まれていることから、酸化劣化反応しにくくされている。
【００４４】
したがって、このプレート式熱交換器は、ダブルラインガスケット３０が酸化劣化反応による分子鎖の切断、架橋反応の進行によるガスケット劣化の進行（圧縮永久歪み及び罅割れ等）を抑えたものとなり、高温流体Ｈが漏洩しにくいものとなっている。
【００４５】
次に、本発明に係るプレート式熱交換器の第２の実施形態について図示しないで説明する。第２流路２内には、低温流体Ｃが流通し、第２流路２を設けるガスケットが熱による酸化劣化反応しにくい状況下にある。したがって、第２の実施形態のプレート式熱交換器では、内側ガスケット部材３１ａと外側ガスケット部材３１ｂとを二重に並列させていない従来から使用されている一般的なガスケット（以下、「シングルラインガスケット」という。）１３０を２枚の伝熱プレート２０，２０の間に介装し、第２流路２を形成する。
【００４６】
この第２の実施形態で使用する伝熱プレート２０は、ダブルラインガスケット３０用の溝を一方の面に形成し、シングルラインガスケット１３０用の溝を他方の面に形成したものとされる。したがって、第２の実施形態のプレート式熱交換器は、この溝を考慮して交互に積層して組み立てられる。
【００４７】
次に、本発明に係るプレート式熱交換器の第３の実施形態について図２ないし図４を参照しながら説明する。第３の実施形態では、ダブルラインガスケット３０の内側ガスケット部材３１ａ，３２ａと外側ガスケット部材３１ｂ，３２ｂとに挟まれる部分の伝熱プレート２０に排液孔２５と給気孔２６との両方又はいずれか一方のみを設けたことを特徴としている。
【００４８】
排液孔２５は、ダブルラインガスケット３０の内側ガスケット部材３１ａ，３２ａが劣化し、高温流体Ｈが第１流路１から漏出した場合に排出するため、伝熱プレート２０の下部に設けられる。この排液孔２５から排出された高温流体Ｈが隣り合っている第２流路２と遮断された連通路３内に流入しないようにするための環状のガスケット３３が第２流路２を設ける伝熱プレート２０の間に介装されている。
【００４９】
この排液孔２５と連続するノズル１３が固定フレーム１１に取り付けられ、このノズル１３から高温流体Ｈが漏洩していると検知することができる。
【００５０】
また、給気孔２６は、ダブルラインガスケット３０の内側ガスケット部材３１ａ，３２ａと外側ガスケット部材３１ｂ，３２ｂと２枚の伝熱プレート２０によって囲まれた密閉空間内に窒素などの不活性ガスを供給し、この密閉空間内に存在する空気中の酸素をなくすことで、内側ガスケット部材３１ａ，３２ａがさらに酸化劣化反応しにくいようにするために形成される。
【００５１】
給気孔２６は、第１流路１を設けるダブルラインガスケット３０によって形成される密閉空間内にのみ供給されればよいが、第２流路２を設けるダブルラインガスケット３０によって形成される密閉空間内にも供給されてもよい。
【００５２】
ただし、第２流路２をシングルラインガスケット１３０によって設ける場合は、第２流路２から遮断して、又は第２流路２の外側において不活性ガスを供給するための環状のガスケット（図示せず）が第２流路２を設ける伝熱プレート２０，２０間に介装される。
【００５３】
また、給気孔２６は、任意の位置に設けてよいが、伝熱プレート２０を上下反転して組み立て、前記排液孔２５と兼用できるように組立状態において上部に設けることが好ましい。なお、固定フレーム１１には、給気孔２６に不活性ガスを供給するためのノズル１４が取り付けられる。
【００５４】
次に、本発明に係るプレート式熱交換器の第４の実施形態について図５を参照しながら説明する。第４の実施形態では、ダブルラインガスケット３０が第１流路１の上流側のみ内側ガスケット部材３１ａ，３２ａと外側ガスケット部材３１ｂ，３２ｂの二重に並列される。第１流路１内の高温流体Ｈは、低温流体Ｃと熱交換されながら左側上の通路孔２３（上流側）から左側下の通路孔２４（下流側）に流通するため、下流側において、降温している。
【００５５】
したがって、第１流路１の下流側は、シングルラインガスケット１３０を介装しても、このシングルラインガスケット１３０は熱によって酸化劣化反応しにくい。そこで、ダブルラインガスケット３０は、第１流路１の上流側のみ介装し、第１流路１の下流側をシングルラインガスケット１３０に介装することによっても、ダブルラインガスケット３０が熱による酸化劣化が進行することがなく、したがって、高温流体Ｈが漏洩しないようにすることができる。
【００５６】
なお、ダブルラインガスケット３０の下端部に排液孔（図示せず）を形成し、内側ガスケット部材３１ａ，３１ａと外側ガスケット部材３１ｂ，３１ｂの間の任意の伝熱プレート２０に給気孔（図示せず）を形成してもよい。
【００５７】
次に、本発明に係るプレート式熱交換器の第５の実施形態について図６を参照しながら説明する。第５の実施形態は、鉛直姿勢で複数枚積層されたカセットプレート２００とカセットプレート２００との間にダブルラインガスケット３０を介装したことを特徴としている。なお、図６では、ダブルラインガスケット３０の流路形成用ガスケット３１のみ図示している。
【００５８】
カセットプレート２００は、２枚の伝熱プレート２０，２０の外周部をレーザ溶接やロウ付けなどによって永久接続（図６において黒丸で示す。）したもので、内部に高温流体Ｈを流通させる第１流路１又は低温流体Ｃを流通させる第２流路２が設けられる。
【００５９】
そして、カセットプレート２００が複数枚積層され、カセットプレート２００とカセットプレート２００との間に低温流体Ｃを流通させる第２流路２又は高温流体Ｈを流通させる第１流路１が設けられる。この積層されたカセットプレート２００とカセットプレート２００との外周部にダブルラインガスケット３０が介装される。
【００６０】
すなわち、ダブルラインガスケット３０は、接液側の内側ガスケット部材３１ａ（図示しないが３２ａも同様）と非接液側の外側ガスケット部材３１ｂとの二重に並列される。外側ガスケット部材３１ｂ（図示しないが３２ｂも同様）は、図示したように永久接続した内側に介装される。
【００６１】
あるいは、図示しないが、外側ガスケット部材は永久接続した部分の間２０１に介装され、内側ガスケット部材３１ａは、永久接続した内側（図６において外側ガスケット部材３１ｂを介装したライン）に介装してもよい。
【００６２】
カセットプレート２００を積層した従来のプレート式熱交換器は、高温流体Ｈを流通させる第１流路１がカセットプレート２００内に設けられていたが、この第５の実施形態におけるプレート式熱交換器にあっては、カセットプレート２００内に第２流路２を設け、カセットプレート２００とカセットプレート２００との間に第１流路１を設けてもよい。このようにしても、カセットプレート２００とカセットプレート２００との間にダブルラインガスケット３０が介装され、このダブルラインガスケット３０は熱によって酸化劣化反応しにくいからである。
【００６３】
そして、カセットプレート２００内に設けられた第２流路２には、低温流体Ｃである薬品を支障なく流通させることができる。このようにすることで、このプレート式熱交換器は、カセットプレート２００とカセットプレート２００との間に薬品を流通させる場合に耐薬品性のガスケットをリングガスケットのみに介装すればよい。
【００６４】
なお、本発明は、前記第１ないし第５の実施形態に限定することなく種々変更することができる。例えば、前記第５の実施形態において説明したカセットプレート２００を積層するプレート式熱交換器においても、第３の実施形態で説明した排気孔や給気孔２６を備え、また、第４の実施形態で説明したように、第１流路１の上流側のみダブルラインガスケット３０を介装してもよい。また、排液孔２５と連続するノズル１３及び給気孔２６と連続するノズル１４は、固定フレーム１１でなく、移動フレーム１２に設けられてもよい。
【符号の説明】
【００６５】
１………第１流路
２………第２流路
３………連通路
２０……伝熱プレート
２１，２２，２３，２４…通路孔
２５……排液孔
２６……給気孔
３０……ガスケット（ダブルラインガスケット）
３１……流路形成用ガスケット
３１ａ…内側ガスケット部材
３１ｂ…外側ガスケット部材
３２……連通路形成用ガスケット
３２ａ…内側ガスケット部材
３２ｂ…外側ガスケット部材
１３０…流路形成用ガスケット（シングルラインガスケット）
２００…カセットプレート
Ｃ………低温流体
Ｈ………高温流体
【図１】
2013039127.tif 000003
【図２】
2013039127.tif 000004
【図３】
2013039127.tif 000005
【図４】
2013039127.tif 000006
【図５】
2013039127.tif 000007
【図６】
2013039127.tif 000008
【図７】
2013039127.tif 000009
【図８】
2013039127.tif 000010
【図９】
2013039127.tif 000011
【国際調査報告】
2013039127.tif 000012
2013039127.tif 000013
2013039127.tif 000014
2013039127.tif 000015